(57)【特許請求の範囲】
【請求項１】
容器口部に、注出筒部と嵌合筒部とを具えたキャップを被せた液注出容器であって、
注出筒部が、注出筒と、注出筒の上方部から斜め上方に延びるよう突設され、エア導入孔を設けた注出ノズルと、注出ノズルの上面の頂壁から垂設され、注出筒の中央部に配設される弁体の保持筒とからなり、
弁体が、保持筒に嵌挿された弁支持筒と、該弁支持筒に取着され、嵌合筒部の上壁下面に係合する弁板とを具備しており、
弁支持筒に連係する弁体の操作部材が、注出ノズルの頂壁に取着された取付板と、該取付板に対して湾曲変形、復元可能に連設された押圧板とから形成されていることを特徴とする液注出容器。
【請求項２】
キャップが、容器口部に螺合した中栓の係合リングに廻動可能に嵌合されていることを特徴とする請求項１記載の液注出容器。
【請求項３】
キャップが、嵌合突条を設けた容器口部に打栓によって嵌合されていることを特徴とする請求項１記載の液注出容器。
【請求項４】
キャップの嵌合筒部が、外筒と内筒、上壁とからなり、
外筒に摘み部が連設され、上壁に外筒に沿って凹溝が刻設され、
外筒が切り離し可能になっていることを特徴とする請求項３記載の液注出容器。
【請求項５】
注出ノズルが、隔壁によって注出孔とエア導入孔とに区分けされていることを特徴とする請求項１〜４のいずれかに記載の液注出容器。
【発明の詳細な説明】
【０００１】
【発明の属する技術分野】
本発明は、液注出容器、とくに注出ノズルを具えたキャップを被嵌した液注出容器であって、注出流路をワンタッチで開閉できるようにした液注出容器に関する。
【０００２】
【発明が解決しようとする課題】
液注出容器として、容器に被嵌したキャップに注出ノズルを廻動可能として装着し、注出ノズルの傾斜を変えることによって注出流路をワンタッチで開閉できるようにした容器、あるいは、キャップに注出孔を開閉する栓体の支持筒を装着し、支持筒を上下動することによって注出孔を簡単に開閉できるようにした容器は従来より周知である。
【０００３】
しかしながら、上記従来の容器はいずれも注出孔が細く、一時に多量の内容液を注出させる容器には適用できないという問題があった。
また、前者の注出ノズルは、注出方向を容器の縦方向平面で変えることができるが、容器の横方向に変えることが出来ないという問題があり、短形状、あるいは、長楕円形状の容器では、使い勝手がよくないという問題があった。
【０００４】
本発明は、上記問題を解決し、一時に多量の内容液を注出することができ、その注出、注出停止をワンタッチで簡単にできるとともに、容器に対する注出方向を変えることができる液注出容器を提供することを目的とする。
【０００５】
【課題を解決するための手段】
本発明は、上記の課題を解決するため、液注出容器として、容器口部に、注出筒部と嵌合筒部とを具えたキャップを被せた液注出容器であって、注出筒部が、注出筒と、注出筒の上方部から斜め上方に延びるよう突設され、エア導入孔を設けた注出ノズルと、注出ノズルの上面の頂壁から垂設され、注出筒の中央部に配設される弁体の保持筒とからなり、弁体が、保持筒に嵌挿された弁支持筒と、該弁支持筒に取着され、嵌合筒部の上壁下面に係合する弁板とを具備しており、弁支持筒に連係する弁体の操作部材が、注出ノズルの頂壁に取着された取付板と、該取付板に対して湾曲変形、復元可能に連設された押圧板とから形成されていることを特徴とする構成を採用する。
【０００６】
キャップの実施態様として、キャップが、容器口部に螺合した中栓の係合リングに廻動可能に嵌合されていることを特徴とする構成、または、キャップが、嵌合突条を設けた容器口部に打栓によって嵌合されていることを特徴とする構成を採用し、容器口部に打栓によって嵌合する場合には、キャップの嵌合筒部が、外筒と内筒、上壁とからなり、外筒には摘み部が連設され、上壁に外筒に沿って凹溝が刻設され、外筒が切り離し可能になっていることを特徴とする構成を付加する。
【０００７】
注出ノズルの実施態様として、注出ノズルが、隔壁によって注出孔とエア導入孔とに区分けされていることを特徴とする構成を採用する。
【０００８】
【発明の実施の形態】
次に、本発明液注出容器の第１実施形態について、図面を参照して説明する。
図１において、Ａは容器本体、Ｂは中栓、Ｃは注出筒を具えたキャップ、Ｄは弁体、Ｅはキャップ上面に取着された弁体の操作部材である。
【０００９】
容器Ａは、口部１と肩部２、胴部３と底部とからなっており、口部１外周にはねじ４が螺設され、その下方にはネックリング５が突設されている。
図２に示すように、肩部２、胴部３の横断面形状は、短形、または長楕円形である。
【００１０】
図３に示すように、中栓Ｂは、外筒６と上壁７、口部１内周に嵌合する内筒８とを具えており、外筒６の内周には、ねじ４に螺合するねじ９が螺設され、上壁７には、外周の中間部に膨出環１０を設けた係合リング１１が立設されている。
【００１１】
図４に示すように、キャップＣは、嵌合筒部Ｃ１と、該嵌合筒部Ｃ１の上方に連設された注出筒部Ｃ２とからなり、嵌合筒部Ｃ１は、係合リング１１に係合する外筒１５と内筒１６、および上壁１７とを具えている。
外筒１５は、その内周に膨出環１０に係合する係合溝１８が刻設され、内周下端に、膨出部１９が設けられている。
【００１２】
注出筒部Ｃ２は、上壁１７の内周縁から立設された注出筒２０と、該注出筒２０の上方部から斜め上方に延びるよう突設された注出ノズル２１、および注出筒２０の中央部に配設された弁体Ｄの保持筒２２とからなっている。
注出筒２０の上面には、注出ノズル２１の上面と共通し、斜め上方に延びる頂壁２３が設けられ、該頂壁２３の所定位置には開口が設けられ、保持筒２２が垂設されている。
注出ノズル２１は、隔壁２４で上下に区分けされ、断面半円状の注出孔２５と断面短形のエア導入孔２６とからなっている。
【００１３】
隔壁２４は保持筒２２の周面まで延びており、その端部は保持筒２２の両側に延び、突出端部２７ａ，ｂが形成されている。
突出端部２７の周縁には、側壁２８が立設されており、側壁２８と頂壁２３との間には、エアのみが流通できる間隙を有するスリット２９が設けられている。
頂壁２３の上面両側には、上板３０と側板３１ａ，ｂとを具えた操作部材Ｅの取付部３２が突設されている。
【００１４】
弁体Ｄは、弁支持筒３５と、該弁支持筒３５の筒内に取付ピン３６を介して装着された弁板３７とを具えている。
弁支持筒３５の上端部には、係合ピン３８が突設され、下端部には、保持筒２２内周面に嵌挿され、傘状に広がるシール板３９が突設されている。
図６に示すように、弁板３７は、上昇位置では、その上面が弁座となる嵌合筒部Ｃ１の上壁１７下面に係合して注出流路ａを閉鎖し、下降位置では、注出筒２０と容器Ａ内部との間に注出流路ａを形成する。
【００１５】
図５に示すように、操作部材Ｅは、取付板４０と、該取付板４０に湾曲部４１を介して連設された押圧板４２とを具えている。
取付板４０は、接続部４３と両側端縁に沿って延びる取付片４４とからなっており、取付片４４の中間部には、凹部４５が設けられている。
凹部４５は、注出筒２０頂壁２３の取付部３２に係合して操作部材Ｅを頂壁２３に対して定位置に取着するようになっている。
【００１６】
押圧板４２は、湾曲部４１の変形と復元により湾曲部を中心に廻動することになっている。
押圧板４２の裏面には、斜め下方に延びる一対の係合レバー４６が垂設されており、係合レバー４６は、上下の端縁から内方に突出する挟持板４７ａ，ｂが設けられている。
前記上下の挟持板４７ａ，ｂは、弁支持筒２２上端の係合ピン３８を上下から挟持し、係合レバー４６の上下動により、弁支持筒３５を上下させるようにしている。
【００１７】
次に、本実施形態液注出容器の使用態様と作用効果について説明する。
容器本体Ａには、内容液として、化粧料、洗剤、食料品等が収容され、弁体Ｄを装着し、操作部材Ｅを取付けたキャップＣを中栓Ｂに嵌着し、該中栓Ｂを容器本体Ａの口部１に螺合して、本実施形態の液注出容器が組み立てられる。
【００１８】
図６に示すように、液注出にあたっては、操作部材Ｅの押圧板４２を押下げると、弁体Ｄが押下げられ、弁体Ｄと嵌合筒部Ｃ１の上壁１７との間に注出流路ａが開放される。
【００１９】
次いで、容器本体Ａを傾けると、注出ノズル２１の注出孔２５から内容液が注出され、エア導入孔２６を通じて大気が導入される。
操作部材Ｅから手を離すと押圧板４２が復元して弁体Ｄが上昇し、弁体Ｄが嵌合筒部Ｃ１の上壁１７下面に接合して注出流路ａが閉鎖され、内容液の注出が止められる。
したがって、容器本体Ａを傾けた状態で押圧板４２を押下げたり、押圧板４２から手を離すことによって、内容液の注出、注出停止をワンタッチで、瞬時に行うことができる。
【００２０】
さらに、また、操作部材Ｅの押下げ量を調節することによって、弁板３７と嵌合筒部Ｃ１の上壁１７との間隙が調節され、流出量を調節することができる。
また、エア導入孔２６から大気が導入されるので、容器内が負圧になることはなく、注出ノズル２１の注出孔２５から多量の内容液を何らの支障もなく、注出することができる。
また、中栓Ｂに対してキャップＣを廻動させると、注出ノズル２１の方向を変えることができ、図７に示すように、容器本体Ａを横倒しにして台ｂ上に置き、操作部材Ｅを操作することによって、内容液を注出することができる。
【００２１】
内容液の注出が終わったときには、中栓Ｂを廻動させて螺合を解いて容器口部１から取外して、詰め替え容器から内容液を入れ、再び中栓Ｂを容器本体Ａの口部１に螺合させると、本液注出容器を何度も利用することができる。
【００２２】
次に、液注出容器の第２実施形態について説明する。
本実施形態は、キャップを容器口部に打栓により取着したものである。
以下、相違点を中心に説明する。
【００２３】
図８に示すように、液注出容器は、容器本体ＡａとキャップＣａ、弁体Ｄａ、操作部材Ｅａとからなっている。
容器本体Ａａは、口部１ａと肩部２ａ、胴部３ａと底部とからなっており、口部１ａの外周には、嵌合突条５０が突設され、その下方にはネックリング５１が設けられている。
【００２４】
図８，９に示すように、キャップＣａは、嵌合筒部Ｃ１ａと注出筒部Ｃ２ａとからなっており、嵌合筒部Ｃ１ａは、外筒５５と容器口部１ａの内周面の下端までに係合する内筒５６と、上壁５７とを具えている。
外筒５５には、その内周下端部に、口部１ａの嵌合突条５０に係合する膨出環５８が設けられており、外周の所定の位置には、周方向に延びる摘み部５９が連設されている。
【００２５】
上壁５７の上面には、外筒５５の内周に沿って凹溝６０が刻設され、その底は、上壁５７の薄肉部６１となっている。
摘み部５９の根本部６２には、上壁５７の凹溝６０に接続する切欠溝６３が設けられ、摘み部５９を外方に引き廻したときに、切欠溝６３を通じて外筒５５外周が切断され、さらに、凹溝６０の底の薄肉部６１が切断され、外筒５５が、上壁５７から切取られるようになっている。
【００２６】
キャップＣａの注出筒部Ｃ１ａ、弁体Ｄａ、操作部材Ｅａの構成と相互の関係は、前記第１実施形態のものと同一であり、同一の符号に添字ａを付して図示し、詳しい説明を省略する。
【００２７】
次に、本実施形態の液注出容器の使用態様と作用効果について説明する。
本実施形態の液注出容器は、容器本体Ａａに内容液が収納された後に、キャップＣａを打栓によって容器本体Ａａの口部１ａに嵌着することによって組み立てられる。
【００２８】
内容液の注出にあたっては、前記第１実施形態と同様に、操作部材Ｅａの操作と、容器本体Ａａを傾けることによって内容液の注出、注出停止、注出量の調節ができる。
【００２９】
注出ノズルの方向を変えたいときには、摘み部５９をつかんで外方に引き廻していくと、図１０に示すように、外筒５５が取外され、キャップＣａと容器本体Ａａとの嵌合は、内筒５６だけとなるので嵌合がゆるめられ、注出ノズルの方向を変えることができる。
また、全ての内容物の注出が終わったときには、キャップＣａを取外して、詰め替え容器から内容液を入れ、再びキャップＣａを取着して液注出容器を再利用することができる。
【００３０】
【発明の効果】
本発明は、上記のように構成されているから、次の効果を奏する。
弁体に連携する操作部材を装着し、操作部材の押圧板を押圧することによって、注出流路を開放し、手を離すことによって注出流路を閉鎖するようにしたから、ワンタッチで内容液の注出、注出停止を行うことができる。
【００３１】
また、注出ノズルに注出孔とエア導入孔を設けたから、注出と同時にエアを導入することによって、多量の内容液を効率よく注出することができる。
【００３２】
キャップを容器に対して廻動可能としたので、注出ノズルの方向を変えることができ、容器を横倒しにして台の上に載置し、操作部材を操作することよって注出できるようになった。
また、キャップを容器口部から取外し、取付けが容易にできるようにしたので、内容液の詰め替えができ、液注出容器を再利用して長期に使用できるようになった。
【図面の簡単な説明】
【図１】第１実施形態液注出容器の一部断面立面図である。
【図２】液注出容器の上面図である。
【図３】中栓の断面図である。
【図４】弁体を装着したキャップの説明図で、（ａ）は上面図、（ｂ）は断面図、（ｃ）は図（ｂ）の矢印Ａの方向から見た注出ノズルの説明図、（ｄ）はエア導入孔の説明図で、図（ｂ）のＢ−Ｂ線における頂壁を除いた上面図である。
【図５】操作部材の説明図で、（ａ）は上面図、（ｂ）は側面図、（ｃ）は図（ｂ）の矢印Ａの方向から見た押圧板の裏面図、（ｄ）は図（ｂ）のＢ−Ｂ線における上面図である。
【図６】注出時の説明図である。
【図７】注出ノズルの方向を変えたときの説明図である。
【図８】第２実施形態液注出容器の一部断面立面図である。
【図９】キャップの説明図で、（ａ）は上面図、（ｂ）は一部断面立面図である。
【図１０】外筒を取外したキャップの説明図である。
【符号の説明】
Ａ、Ａａ      容器本体
Ｂ、Ｂａ      中栓
Ｃ、Ｃａ      キャップ
Ｃ１、Ｃ１ａ  嵌合筒部
Ｃ２、Ｃ２ａ  注出筒部
Ｄ、Ｄａ      弁体
Ｅ、Ｅａ      操作部材
１、１ａ      口部
２、２ａ      肩部
３、３ａ      胴部
６            外筒
７            上壁
８            内筒
９            ねじ
１０          膨出環
１１          係合リング
１５、５５    外筒
１６、５７    内筒
１７、５６    上壁
１９          膨出部
２０          注出筒
２１          注出ノズル
２２          保持筒
２３          頂壁
２４          隔壁
２５          注出孔
２６          エア導入孔
２７ａ，ｂ    突出端縁
２８          側壁
２９          スリット
３２          取付部
３５          弁支持部
３７          弁板
３８          係合ピン
３９          シール板
４０          取付板
４１          湾曲部
４２          押圧板
４３          接続部
４４          取付片
４５          凹部
４６          係合レバー
４７ａ，ｂ    挟持板
５０          嵌合突条
５１          ネックリング
５８          膨出環
５９          摘み部
６０          凹溝
６１          薄肉部
６２          根本部
６３          切欠溝
【図１】
0004156243.tif 000002
【図２】
0004156243.tif 000003
【図３】
0004156243.tif 000004
【図４】
0004156243.tif 000005
【図５】
0004156243.tif 000006
【図６】
0004156243.tif 000007
【図７】
0004156243.tif 000008
【図８】
0004156243.tif 000009
【図９】
0004156243.tif 000010
【図１０】
0004156243.tif 000011